(57)【要約】【課題】  アルカリイオン水の生成が手早く効率的にできると共に、水改質面に従来のような容器に詰められたマグネシウム粒間に形成される空間のように複雑に入り組んだところがないため不衛生になりにくく、クリーニング等のメンテナンスが容易にできる、アルカリイオン水生成器を提供する。【解決手段】  アルカリイオン水生成器(B)は、内面の少なくとも一部に水又は水溶液と接触する水改質面(13)を有し水改質面(13)がマグネシウム１０〜２５重量％とカルシウム１０〜２０重量％とを含む合成樹脂を主成分とする材料で形成されている容器本体(1)と、容器本体(1)の上部開口部(10)に被冠されており、開閉可能な飲み口(25)を有する蓋体(2)とを備えている。【選択図】図２
2015174041.tif 000002
【特許請求の範囲】
【請求項１】
容器を有し、該容器の内面の少なくとも一部に水又は水溶液と接触する水改質面を備えており、
該水改質面は、マグネシウム１０〜２５重量％を含む合成樹脂を主成分とする材料で形成されている
アルカリイオン水生成器。
【請求項２】
容器を有し、該容器の内面の少なくとも一部に水又は水溶液と接触する水改質面を備えており、
該水改質面は、マグネシウム１０〜２５重量％と、カルシウム１０〜２０重量％とを含む合成樹脂を主成分とする材料で形成されている
アルカリイオン水生成器。
【請求項３】
前記容器が開口部を有し、該開口部に被冠されており、開閉可能な飲み口を有する蓋体を備える
請求項１又は２のアルカリイオン水生成器。
【請求項４】
前記合成樹脂が高密度ポリプロピレンである
請求項１、２又は３のアルカリイオン水生成器。
【請求項５】
前記水改質面に凹凸が形成されている
請求項１、２、３又は４のアルカリイオン水生成器。
【発明の詳細な説明】
【技術分野】
【０００１】
本発明は、アルカリイオン水生成器に関するものである。更に詳しくは、アルカリイオン水の生成が手早く効率的にできると共に、水改質面に従来のような容器に詰められたマグネシウム粒間に形成される空間のように複雑に入り組んだところがないため不衛生になりにくく、クリーニング等のメンテナンスが容易にできる、アルカリイオン水生成器に関する。
【背景技術】
【０００２】
水又は水溶液に対し、マグネシウム等の還元力を持つ金属を作用させることにより、或いは水又は水溶液を電気分解して陰極側で生成できるとされる、いわゆるアルカリイオン水（飲用アルカリ性電解水の通称）は、効果・効能として「胃腸症状改善」が承認されている。
例えば前者によるアルカリイオン水の生成は、比較的手軽に行うことができるものであり、そのための生成器としては、例えば特許文献１に開示されたイオン水生成器がある。
【０００３】
特許文献１に開示された従来のイオン水生成器（特許文献１の図２〜図４参照）は、ペットボトルに入る大きさであり、マグネシウム粉末が収容された筒状の生成器本体を備え、その長手方向の両端側には、蓋が嵌め込まれ、生成器本体の周面部及び蓋の所要の位置には、マグネシウム粉末をペットボトル内の水と接触させる通水孔となりマグネシウム粉末が通水孔から外に漏れることを防止する網が設けてあり、電気分解を利用せずに、電解水製造装置と同等の酸化還元電位やｐＨを有するアルカリイオン水を簡単に生成することができるというものである。
このイオン水生成器によれば、水を電気分解してアルカリイオン水を生成する高価な生成機を用いることなくアルカリイオン水が簡単に得られる点においては、充分に有用であった。
【先行技術文献】
【特許文献】
【０００４】
【特許文献１】特開２００３−２４９５６号公報
【発明の概要】
【発明が解決しようとする課題】
【０００５】
しかしながら、上記従来のイオン水生成器には、次のような課題もあった。
すなわち、ペットボトルに入れて使用されるイオン水生成器のスティック状の容器は比較的小さく形成されており、通水孔を通る水の流通量もそれ程多くないために、ボトルを振ってもアルカリイオン水の生成までに比較的時間を要する。
また、容器に詰められたマグネシウム粒間には複雑に入り組んだ空間があり、水垢や黴が発生し付着しやすい等、不衛生になりやすく、クリーニング等のメンテナンスに手間がかかっていた。
【０００６】
本発明は、以上の点に鑑みて創案されたものであり、アルカリイオン水の生成が手早く効率的にできると共に、水改質面に従来のような容器に詰められたマグネシウム粒間に形成される空間のように複雑に入り組んだところがないため不衛生になりにくく、クリーニング等のメンテナンスが容易にできる、アルカリイオン水生成器を提供することを目的とする。
【課題を解決するための手段】
【０００７】
（１）本発明は、容器を有し、該容器の内面の少なくとも一部に水又は水溶液と接触する水改質面を備えており、該水改質面は、マグネシウム１０〜２５重量％を含む合成樹脂を主成分とする材料で形成されているアルカリイオン水生成器である。
【０００８】
（２）本発明は、容器を有し、該容器の内面の少なくとも一部に水又は水溶液と接触する水改質面を備えており、該水改質面は、マグネシウム１０〜２５重量％と、カルシウム１０〜２０重量％とを含む合成樹脂を主成分とする材料で形成されているアルカリイオン水生成器である。
【０００９】
この場合、容器の水改質面は、合成樹脂による強度と、マグネシウムによる水又は水溶液の還元性に加えて、カルシウムによるアルカリイオン水に対するミネラル分の付与性に優れる機能性を有しており、機能性においてバランスに優れたものとなる。
【００１０】
なお、カルシウムの配合を１０重量％未満とした場合、アルカリイオン水に対するカルシウムによるミネラル分の付与性に劣る傾向がある。また、カルシウムの配合が２０重量％を越えた場合、相対的に合成樹脂やマグネシウムの量が少なくなるので、合成樹脂による容器の強度やマグネシウムによる水溶液の還元性のバランスが悪くなる傾向がある。
【００１１】
（３）本発明は、前記容器が開口部を有し、該開口部に被冠されており、開閉可能な飲み口を有する蓋体を備える構成とすることができる。
【００１２】
この場合は、生成したアルカリイオン水を開閉が可能な飲み口から飲むことができるので、例えば使用者がトレーニング場やグラウンド（運動場）等で自分の周りに置いておけば、コップ等を使用しなくても、アルカリイオン水を手軽に摂取することができるので、使い勝手に優れている。
【００１３】
（４）本発明は、前記合成樹脂が高密度ポリプロピレンである構成とすることができる。
【００１４】
この場合は、アルカリイオン水生成器は、より軽量で高強度の容器として形成することができる。また、高密度ポリプロピレンは毒性のない合成樹脂であり、吸湿性、すなわち吸水性がなく、酸、アルカリを含む耐薬品性にも優れており、アルカリ性の飲料水溶液を入れる容器として好適である。
【００１５】
（５）本発明は、前記水改質面に凹凸が形成されている構成とすることができる。
【００１６】
この場合は、水改質面の表面積が広くなる分だけ、水改質面による水又は水溶液の改質をより効率的に行うことができるので、比較的短い時間でアルカリイオン水を生成することができる。
【００１７】
本明細書及び特許請求の範囲にいう「改質」の用語は、水を還元してアルカリイオン水に変えるという意味で使用している。
【００１８】
（作用）
本発明のアルカリイオン水生成器の作用を説明する。
まず、容器内部に水又は水溶液（以下、単に水という場合がある）を適量入れる。これにより、容器内部の水改質面に水が接触する。水をより効率的に改質しようとすれば、容器を振ったり回したりして、水を動かすことで、水改質面に対し、水をより多く接触させるようにする。
このようにすることで、水は水改質面と繰り返し接触して還元され、アルカリイオン水に改質される。
【００１９】
すなわち、マグネシウムと水が接触すると、マグネシウムの分子一つと水の分子二つが反応する。このとき、マグネシウムは遊離されず、水酸化マグネシウムとして形成される。この過程でマグネシウムから出た電子の一部は、水素ガスの生成に使用され、他は水として残る。そして、水酸化マグネシウムはイオン化され、水酸化物イオン(OH-)が形成されており、マグネシウムは酸化され、水は還元されてアルカリ性になる（下記、化学式を参照）。
Ｍｇ＋２Ｈ2Ｏ→Ｍｇ(ＯＨ)2＋Ｈ2↑
【００２０】
また、容器の水改質面が、マグネシウム粉１０〜２５重量％を含む合成樹脂を主成分とする材料で形成されているので、水改質面は、合成樹脂による強度と、マグネシウムによる水又は水溶液の還元性の機能性のバランスに優れたものとなる。
【００２１】
なお、マグネシウムの配合を１０重量％未満とした場合、マグネシウムによる水溶液の還元性が劣り、ｐH値が上がりにくくなる傾向がある。また、マグネシウムの配合が２５重量％を越えた場合は、相対的に合成樹脂の量が少なくなるので、合成樹脂による容器の水改質面の強度が弱くなる傾向がある。
【００２２】
また、その理由は定かではないが、上記配合で形成された水改質面を備えた容器を有するアルカリイオン水生成器は、容器内で水溶液を還元する際のｐHの上昇が比較的速やかであり、かつｐH値が上昇して８を越えた後は、時間の経過に伴うｐH値の上昇が極めて穏やかになり、ある程度時間が経過しても、ｐH値が飲料水として問題のない範囲（９程度）を大きく超えないという機能性を有する。
【００２３】
したがって、アルカリイオン水生成器は、飲用に適したアルカリイオン水の生成が手早く効率的にできる。また、水改質面に従来のような容器に詰められたマグネシウム粒間に形成される空間のように複雑に入り組んだところがないため、残留付着物に起因する不衛生状態にはなりにくく、クリーニング等のメンテナンスが容易にできる。これにより、例えばプロテイン等のパウダーでつくる機能性飲料のシェイカーとしても好適に使用できる。
【発明の効果】
【００２４】
本発明は、アルカリイオン水の生成が手早く効率的にできると共に、水改質面に従来のような容器に詰められたマグネシウム粒間に形成される空間のように複雑に入り組んだところがないため不衛生になりにくく、クリーニング等のメンテナンスが容易にできる、アルカリイオン水生成器を提供することができる。
【図面の簡単な説明】
【００２５】
【図１】本発明に係るアルカリイオン水生成器の一実施の形態を示す斜視図である。
【図２】図１に示すアルカリイオン水生成器の分解斜視図である。
【図３】図１におけるＡ−Ａ断面図である。
【図４】容器本体の内面形状を示す要部拡大断面図である。
【発明を実施するための形態】
【００２６】
本発明を図面に示した実施の形態に基づき詳細に説明する。
図１ないし図４を参照する。
アルカリイオン水生成器Ｂは、容器本体１と蓋体２により構成されている。
容器本体１は、概ね有底円筒形状の容器体である。容器本体１は、合成樹脂である高密度ポリプロピレンと、マグネシウム(Mg)、及びカルシウム(Ca)を混合し、成形してつくられている。これらの配合は、本実施の形態では、高密度ポリプロピレンが６５重量％、マグネシウム(Mg)が１８重量％、カルシウム(Ca)が１７重量％である。これらの配合は、本発明に係る配合の範囲内において、適宜調節が可能であり、上記配合に限定されるものではない。
【００２７】
なお、容器本体１が後述する蓋体２と共にポリプロピレンで形成されていることにより、アルカリイオン水生成器Ｂは、より軽量で高強度の容器として形成することができる。また、ポリプロピレンは毒性のない合成樹脂であり、吸湿性、すなわち吸水性がなく、酸、アルカリを含む耐薬品性にも優れており、アルカリ性の飲料水溶液を入れる容器として好適である。
【００２８】
容器本体１の上部開口部１０側の外周面には、雄ネジ部１１が形成されている。容器本体１の容量は、例えば５００ｍｌ、７００ｍｌ等、適宜設定することができる。
容器本体１の外周面には、上下方向の三箇所、且つ周方向の二箇所、合計六箇所に長円状の滑り止め凹部１２が形成されている。各滑り止め凹部１２は、ごく僅かな凹みで形成されており、水を入れたときには比較的重量のあるアルカリイオン水生成器Ｂを取り落とすことなく、取り扱いができるようにしている。
【００２９】
容器本体１の内面は、内周面と底面からなる水改質面１３となっている。水改質面１３において、内周面部分には、表面積をより広くするために、多数の突条部１３０（図２、図３では、一部のみ図示）が形成されている。多数の突条部１３０を含む水改質面１３は、吹き出し成形による成形面である。
【００３０】
また、突条部１３０は、図４に示すように、横断面形状が山形状（又はジグザグ状）となるように周方向へ全周にわたり多数形成されている。突条部１３０の各条は、容器本体１の上端側の一部を同じ幅で残して、容器本体１の高さとほぼ同じ長さで設けられている。
【００３１】
なお、本実施の形態では、各突条部１３０の間の溝深さを０．２ｍｍとしているが、これに限定するものではなく、適宜深さに設定することができる。また、容器本体１の内面の表面積を広くするための凹凸形状は、上記形状に限定するものではなく、多数の突起や有底の穴を設ける構造等、他の各種公知形状を採用することもできる。
【００３２】
蓋体２は、蓋本体２０と飲口キャップ２１を有している。
蓋本体２０は、ポリプロピレンで形成されている。蓋本体２０は、上記容器本体１の上部開口部１０側に螺着される冠体２２を有している。冠体２２のフランジの外周面には、周方向の四箇所に滑り止め２３が形成されており、フランジの内周面には、上記容器本体１の雄ネジ部１１と螺合する雌ネジ部２４（図３参照）が形成されている。
【００３３】
また、冠体２２の上面の外周部寄りには、冠体２２の裏側に貫通した円筒形状の飲み口２５が設けられている。冠体２２の上面の飲み口２５とは反対側の外周部寄りには、嵌装受具２６が形成されている。嵌装受具２６には、飲口キャップ２１が基端部の軸を中心に上下方向に回動できるようにして嵌装されている。飲口キャップ２１の先部側の裏面には、上記飲み口２５に液密状態で内嵌めすることができる扁平な円筒形状の嵌め口２７が形成されている。
【００３４】
（作用）
図１ないし図４を参照して、アルカリイオン水生成器Ｂの作用について説明する。
まず、容器本体１の内部に水又は水溶液（機能性飲料等）を適量入れる。これにより、容器本体１の内部の水改質面１３に水又は水溶液が接触する。次に、容器本体１の上部開口部１０側に、飲口キャップ２１を閉じて飲み口２５を塞いだ蓋体２を螺着し、アルカリイオン水生成器Ｂ全体を水密状態とする。
【００３５】
アルカリイオン水生成器Ｂをそのまま静置してアルカリイオン水を生成することもできるが、水をより効率的に改質しようとすれば、容器を振ったり回したりして、容器内部で水を動かすことで、水改質面１３に対し、水をより多く接触させるようにする。
このようにすることで、水は水改質面１３と繰り返し接触して還元され、アルカリイオン水が生成される。
【００３６】
また、容器本体１は、合成樹脂６５重量％、マグネシウム１８重量％、カルシウム１７重量％を配合した材料を成形してつくられており、したがって、水改質面１３も同じ配合の材料で形成されている。この容器本体１は、高密度ポリプロピレンによる容器本体１の強度と、マグネシウムによる水の還元性、及びカルシウムによるアルカリイオン水に対するミネラル分の付与性のバランスに優れた容器となっており、水改質面１３も同様である。
【００３７】
また、その理由は定かではないが、上記配合でつくられた容器本体１を有するアルカリイオン水生成器Ｂは、次に示すように、容器内で水を還元する際のｐHの上昇が比較的速やかであり、かつｐH値が上昇して８を越えた後は、時間の経過に伴うｐH値の上昇が極めて穏やかになり、ある程度時間が経過しても、ｐH値が飲料水として問題のない範囲（９程度）を大きく超えないという機能性を有する。
【００３８】
アルカリイオン水生成器Ｂを静置してアルカリイオン水を生成するときの水のｐＨ値の変化を以下に示す。
【００３９】
経過時間(min)  ｐＨ値
５        ７．７
１０        ７．７
３０        ７．９
６０        ８．０
１２０        ８．３
１８０        ８．４
２４０        ８．４
３００        ８．５
３６０        ８．６
４２０        ８．６
４８０        ８．７
１４４０        ９．２
【００４０】
上記アルカリイオン水生成器Ｂの静置によるアルカリイオン水の生成では、水を入れてから少なくとも３０分経過以降（ｐＨ値は７．９程度）に飲用するのが好ましい。
なお、上記したように、使用者がアルカリイオン水生成器Ｂを持って強くシェイクすれば、水改質面１３の領域がもともと広く、更に多数の突条部１３０によって、表面積がより広くなっていることとも相俟って、上記生成時間は大幅に短縮することができる。したがって、アルカリイオン水生成器Ｂは、飲用に適したアルカリイオン水の生成が手早く効率的にできる。
【００４１】
また、水改質面１３に、従来のような容器に詰められたマグネシウム粒間に形成される空間のように複雑に入り組んだところがないため、残留付着物に起因する不衛生状態にはなりにくく、クリーニング等のメンテナンスが容易にできる。これにより、例えばプロテイン等のパウダーでつくる機能性飲料のシェイカーとしても好適に使用できる。
【００４２】
また、アルカリイオン水生成器Ｂは、生成したアルカリイオン水を飲口キャップ２１により開閉が可能な飲み口２５から飲むことができるので、例えば使用者がトレーニング場やグラウンド（運動場）等で自分の周りに置いておけば、コップ等を使用しなくても、アルカリイオン水を手軽に摂取することができるので、使い勝手に優れている。
なお、アルカリイオン水生成器Ｂの使用後は、次の使用まで、直射日光を避けて風邪がよく通る場所で充分に乾燥させるのが好ましい。
【００４３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４４】
Ｂ  アルカリイオン水生成器
１  容器本体
１０  上部開口部
１１  雄ネジ部
１２  滑り止め凹部
１３  水改質面
１３０  突条部
２  蓋体
２０  蓋本体
２１  飲口キャップ
２２  冠体
２３  滑り止め
２４  雌ネジ部
２５  飲み口
２６  嵌装受具
２７  嵌め口
【図１】
2015174041.tif 000003
【図２】
2015174041.tif 000004
【図３】
2015174041.tif 000005
【図４】
2015174041.tif 000006